(57)【特許請求の範囲】
【請求項１】
前後に対向する一方の針床と他方の針床を備える横編機を用いて、一方の針床にベース編目列が係止された状態から針床に編糸を給糸し、前記ベース編目列に前記編糸を固定する編糸の固定方法において、
前記編糸を用いて、前記ベース編目列の一部であって編幅方向に隣接する一対の特定編目に対して一対の留め編目を連続して編成すると共に、前記特定編目の近傍にある空針に増し目を形成する工程Ｉと、
両留め編目を重ね合わせて重ね目を形成すると共に、前記重ね目を形成する過程で前記ベース編目列に形成される孔を埋める位置に前記増し目を目移しする工程ＩＩと、
前記重ね目と前記増し目のウエール方向に続く固定編目を含む新規のベース編目列を編成する工程ＩＩＩと、
を備える編糸の固定方法。
【請求項２】
前記一対の留め編目のうち、一方は裏目、他方は表目とする請求項１に記載の編糸の固定方法。
【請求項３】
前記増し目は、前記一対の特定編目のいずれかに割増やしを行うことで形成する請求項１または請求項２に記載の編糸の固定方法。
【請求項４】
前記ベース編目列の編幅方向の異なる複数の固定箇所に前記編糸を固定する際、
前記固定箇所の全てに対して、前記工程Ｉに備わる全ての編成動作を同一の編成コースで行なうと共に、前記固定箇所の全てに対して、前記工程ＩＩに備わる各編成動作をそれぞれ同一の編成コースで行なう請求項１〜請求項３のいずれか１項に記載の編糸の固定方法。
【請求項５】
前記ベース編目列を構成するベース編糸、または前記編糸のいずれかに収縮糸を用いる請求項４に記載の編糸の固定方法。
【発明の詳細な説明】
【技術分野】
【０００１】
本発明は、横編機を用いて編地を編成する際、針床に係止されるベース編目列に編糸を固定する編糸の固定方法に関する。
【背景技術】
【０００２】
横縞柄などを有する編地では、編地の編成途中で編糸の切り替えが行われる。この編糸が切り替わる部分には、切り替え前の編糸で編成された編地部に切り替え後の編糸を導入する糸入れ部と、切り替え前の編糸で編成された編地部の終端からその編糸を引き出す糸出し部とがあり、これら糸入れ部及び糸出し部で編糸が解れ出さないようにする必要がある。本出願人は、この解れ止めを横編機に行わせる編糸の固定方法（編糸の解れ止め方法）を提案している(例えば、特許文献１を参照)。
【０００３】
特許文献１に記載の固定方法では、まず、針床にベース編目列が係止された状態から給糸口を移動させ、針床に係止されるベース編目列の特定編目に割増やしを行なって第一新規編目を形成する。そして、第一新規編目に対して第二新規編目を形成し、上記特定編目の一方のシンカーループに対して第一新規編目の両シンカーループを交差させることで、編糸を特定編目に絡めて固定する。
【先行技術文献】
【特許文献】
【０００４】
【特許文献１】特開２０１５−１７３５２号公報
【発明の概要】
【発明が解決しようとする課題】
【０００５】
特許文献１の編糸の固定方法では、給糸口の蹴り返しを複数回行なわなければならず、その蹴り返しの合間に編目の目移しも複数回行なわなければならない。そのため、一つの編地に編糸の固定箇所が多数存在する場合、編地を完成させるまでの時間が長くなってしまう。近年では、消費者のニーズの多様化に伴って迅速な編地の供給が求められているため、効率的にベース編目列に編糸を固定できる編糸の固定方法の開発が求められている。
【０００６】
本発明は上記事情に鑑みてなされたもので、その目的の一つは、効率的にベース編目列に編糸を固定できる編糸の固定方法を提供することにある。
【課題を解決するための手段】
【０００７】
本発明の編糸の固定方法は、前後に対向する一方の針床と他方の針床を備える横編機を用いて、一方の針床にベース編目列が係止された状態から針床に編糸を給糸し、前記ベース編目列に前記編糸を固定する編糸の固定方法であって、以下の工程を備える。
［工程Ｉ］…前記編糸を用いて、前記ベース編目列の一部であって編幅方向に隣接する一対の特定編目に対して一対の留め編目を連続して編成すると共に、前記特定編目の近傍にある空針に増し目を形成する。
［工程ＩＩ］…両留め編目を重ね合わせて重ね目を形成すると共に、前記重ね目を形成する過程で前記ベース編目列に形成される孔を埋める位置に前記増し目を目移しする。
［工程ＩＩＩ］…前記重ね目と前記増し目のウエール方向に続く固定編目を含む新規のベース編目列を編成する。
【０００８】
ここで、上記増し目は、重ね目を形成する過程でベース編目列に形成される孔を埋めるためのものであるので、特定編目からあまり離れた位置に形成することはない。増し目の形成位置は、編幅方向に特定編目から３目以上離れないようにすることが好ましく、編糸の太さ、横編機の種類、編地の形成状態などを考慮して当業者が適宜決定すれば良い。
【０００９】
本発明の編糸の固定方法の一形態として、前記一対の留め編目のうち、一方は裏目、他方は表目とする形態を挙げることができる。
【００１０】
本発明の編糸の固定方法の一形態として、前記増し目は、前記一対の特定編目のいずれかに割増やしを行うことで形成する形態を挙げることができる。ここで、割増やしとは、編針Ｘに係止される編目Ｐを、編針Ｘに対向する編針Ｙに目移しすると共に、編目Ｐから引き出される新規編目Ｑを編針Ｘに形成する編成動作のことである（例えば、特許第２６０４６５３号公報などを参照）。この場合、編針Ｙに目移しされた編目Ｐが増し目となる。
【００１１】
本発明の編糸の固定方法の一形態として、前記ベース編目列の編幅方向の異なる複数の固定箇所に前記編糸を固定する形態を挙げることができる。その場合、前記固定箇所の全てに対して、前記工程Ｉに備わる全ての編成動作を同一の編成コースで行なうと共に、前記固定箇所の全てに対して、前記工程ＩＩに備わる各編成動作をそれぞれ同一の編成コースで行なう。前記工程Ｉの編成動作とは、前記一対の留め編目の編成と、前記増し目の編成である。また、前記工程ＩＩの編成動作とは、前記重ね目を形成するための目移しと、前記増し目の目移しである。
【００１２】
本発明の編糸の固定方法の一形態として、前記ベース編目列を構成するベース編糸、または前記編糸のいずれかに収縮糸を用いる形態を挙げることができる。収縮糸としては、熱収縮糸や弾性糸などを挙げることができる。
【発明の効果】
【００１３】
本発明の編糸の固定方法では、一対の留め編目を編成し、両留め編目を重ね合わせて、その重ね目に新たな編目を編成するだけで、編糸をベース編目列に強固に固定することができ、従来技術よりも編成効率に優れる。また、本発明の編糸の固定方法では、編糸の固定にあたり重ね目を形成することでできた孔を増し目で埋めることができ、編地に孔が開くことを抑制できる。
【００１４】
表目の留め編目と裏目の留め編目を編成することで、両留め編目が表目だけ又は裏目だけの場合に比べて両留め編目を繋ぐ渡り糸の長さを長くすることができ、工程ＩＩで留め編目を目移しして重ね目を形成する際の糸切れを抑制することができる。また、後述する実施形態の図２に示すように、両留め編目が変形して編糸がベース編目列に絡みつく過程で、両留め編目を繋ぐ渡り糸が長いと、両留め編目が変形し易く、編糸がベース編目列に絡みつき易くなる。
【００１５】
増し目の形成に割増やしを用いることで、留め編目の編成と同時に増し目が形成されるので、編地の編成効率を向上させることができる。
【００１６】
一つのベース編目列に編糸の固定箇所が複数存在する場合、従来の編糸の固定方法では、一つの固定箇所を処理してから別の固定箇所の処理を順次行なわなければならない。これに対して、本発明の編地の固定方法では、全ての固定箇所の処理を一括して行なうことができる。そのため、本発明の編糸の固定方法は、従来の編糸の固定方法に比べて、格段に効率的に編糸をベース編目列に固定することができる。
【００１７】
ベース編糸またはベース編目列に固定する編糸を収縮糸とすることで、今までにない立体的な編地を編成できる。例えば、ベース編目列を収縮糸で構成すれば、図４（Ａ）に示すように、パイル状になった編糸を有する編地を編成できる。インレイ編成を行う際にインレイ線材を収縮糸で構成すれば、図４（Ｂ）に示すように、皺状になった立体的な編地を編成できる。
【図面の簡単な説明】
【００１８】
【図１】実施形態１の編糸の固定方法に係る編成工程図である。
【図２】実施形態１の編糸の固定方法によって固定された編糸の状態を示すループ図である。
【図３】（Ａ）は、インレイ線材で柄を形成した編地の写真を、（Ｂ）は、起毛状のインレイ線材を形成した編地の写真を示す図である。
【図４】（Ａ）は、パイル状のインレイ線材を形成した編地の写真を、（Ｂ）は、皺状になった立体的な編地の写真を示す図である。
【発明を実施するための形態】
【００１９】
＜実施形態１＞
編地に柄を形成する手段の一つとして、編地を構成するベース編目列の編目を前後の針床に振り分けて、その振り分けられた編目の間に、ベース編目列を構成するベース編糸とは異なる編糸（インレイ線材）を挿通するインレイ編成が知られている（例えば、特開２００７−２７７７３８号公報）。インレイ編成では、インレイ線材がベース編目列の表面に露出してなる露出部によって柄が形成される。しかし、セーターなどの筒状編地では、インレイ編成で柄を形成することが難しかった。インレイ線材はベース編目列の編目の間に挿通されるだけであるため、インレイ線材のどこかが一箇所でも切れてしまうと、インレイ線材が連鎖的にベース編目列から外れてしまう虞があるからである。このような問題点を解決するには、上記露出部の両端を個別にベース編目列に固定すれば良いが、従来の編糸の固定方法で多数の露出部の固定を行なうには膨大な時間が掛かってしまう。そこで、本発明の編糸の固定方法によりインレイ線材の露出部の固定を行なうことで、当該露出部の固定の効率化を図る。以下、本発明の編糸の固定方法の一例を、図１の編成工程図に基づいて説明する。
【００２０】
本実施形態では、左右方向に延び、かつ、前後方向に互いに対向する下部前針床（以下、ＦＤ）と下部後針床（以下、ＢＤ）、およびこれらＦＤとＢＤの上方に設けられ、下部の針床と同ピッチで多数の編針が列設された上部前針床（以下、ＦＵ）と上部後針床（以下、ＢＵ）を備える４枚ベッド横編機を用いる。横編機では、前後の針床間で編目の目移しが可能であり、しかも横編機に備わるＢＤ，ＢＵは左右にラッキング可能である。
【００２１】
図１の左欄の『Ｓ＋数字』は編成工程の番号を、右欄は各編成工程における針床の編成状態を示す。右欄の大文字アルファベットは編針の位置を、矢印は目移しの方向を示す。五角形のマークは、ベース編糸Ｙ８を給糸する給糸口８０、およびインレイ線材Ｙ９を給糸する給糸口９０を示す。
【００２２】
Ｓ１には、筒状編地の前側編地部と後側編地部がそれぞれ、ＦＤの編針Ａ〜ＬとＢＤの編針Ａ〜Ｌに係止された状態から、ベース編糸Ｙ８を給糸する給糸口８０を紙面右側に移動させ、ベース編目列１０（後側編地部）を編成する。ベース編目列１０のうち、ＢＤの編針Ｃ，Ｄ（Ｉ，Ｊ）の編目は、本発明の編糸の固定方法における特定編目１，２であり、編幅方向に隣接している。
【００２３】
Ｓ２では、給糸口８０を左方向に移動させ、前側編地部を１段分編成すると共に、ＢＤの編針Ｃ，Ｆ，Ｇ，Ｈ，Ｉ，Ｌの編目をＦＵの編針Ｃ，Ｆ，Ｇ，Ｈ，Ｉ，Ｌに目移しする。この編目の目移しは、ベース編目列１０にインレイ線材Ｙ９（Ｓ３参照）を配置・固定するための準備である。特定編目１を目移ししたのは、特定編目１のウエール方向に裏目（Ｓ３の留め編目３を参照）を編成するためである。留め編目３を表目とするなら、特定編目１の目移しは必要ない。
【００２４】
Ｓ３では、インレイ線材Ｙ９を供給する給糸口９０を右方向に移動させ、ＦＵの編針Ｃ（Ｉ）に留め編目３を編成すると共に、ＢＤの編針Ｄ（Ｊ）で割増やしを行なう（本発明の工程Ｉ相当）。ＢＤの編針Ｄ（Ｊ）で割増やしを行なうことで、Ｓ２においてＢＤの編針Ｄ（Ｊ）に係止されていた特定編目２がＦＵの編針Ｄ（Ｊ）に目移しされると共に、特定編目２から引き出された新たな編目である留め編目４がＢＤの編針Ｄ（Ｊ）に係止された状態になる。留め編目３，４は給糸口９０の一回の移動により連続して編成される一対の編目であり、留め編目３と留め編目４とはシンカーループを介して直接つながっている。また、割増やしによってＦＵに目移しした特定編目２は、増し目５として後工程で使用される。つまり、このＳ３では、複数の固定箇所の全てに対して、一対の留め編目３，４の編成と増し目５の編成を同一の編成コースで行なう。
【００２５】
ここで、特定編目１に割増やしを行って増し目５を形成することもできる。また、増し目５は、空針に形成される掛け目であっても良い。例えば、Ｓ２の特定編目２に対向するＦＵの編針Ｄ（Ｊ）や、その隣の編針Ｅ（Ｋ）に掛け目（増し目５）を形成することが挙げられる。あるいは、Ｓ２の特定編目１に対向するＢＤの編針Ｃ（Ｉ）や、ＦＵの編針Ｂ（ＢＤの編針Ｈ）などに掛け目(増し目)５を形成することがあげられる。
【００２６】
Ｓ４では、同一の編成コースで、ＦＵの編針Ｄ（Ｊ）に係止される増し目５をＢＤの編針Ｃ（Ｉ）に目移しする（工程ＩＩの一部）。この目移しは、次のＳ５で重ね目７の形成に伴ってベース編目列１０の編幅方向の目数が減ることでベース編目列１０に形成される孔を埋めるために行なう操作である。つまり、このＳ４では、Ｓ１で特定編目１，２が係止されていたＢＤの編針Ｃ，Ｄ（Ｉ，Ｊ）のうち、重ね目７を形成する過程で空針となるＢＤの編針Ｃ（Ｉ）に増し目５を目移しする。
【００２７】
Ｓ５では、同一の編成コースで、Ｓ３においてＦＵの編針Ｃ（Ｉ）に形成した留め編目３と、割増やしによってＢＤの編針Ｄ（Ｊ）に形成した留め編目４と、を重ね合わせ、ＢＤの編針Ｄ（Ｊ）に重ね目７を形成する（工程ＩＩの一部）。
【００２８】
Ｓ６では、ＦＵの編針Ｆ，Ｇ，Ｈ，Ｌの編目をＢＤの編針Ｆ，Ｇ，Ｈ，Ｌに目移しする。このＳ６によって、ベース編目列１０の編目の間にインレイ線材Ｙ９が挿通された状態になる。
【００２９】
Ｓ７では、給糸口８０を右方向に移動させ、ＢＤの編針Ａ〜Ｌに新たなベース編目列１１を編成する（本発明の工程ＩＩＩ相当）。このベース編目列１１は、Ｓ６における重ね目７と増し目５のウエール方向に続く固定編目８，９を含んでおり、このベース編目列１１によって、ベース編目列１０に配置されたインレイ線材Ｙ９が固定される。
【００３０】
以上説明した編成工程では、Ｓ３に示すようにインレイ線材Ｙ９の二つの固定箇所における留め編目３，４と増し目５の形成を同一の編成コースで行なっている。また、Ｓ４に示すように、両固定箇所における増し目５の目移しを同一の編成コースで行なうと共に、Ｓ５に示すように、両固定箇所における重ね目７を形成するための留め編目３の目移しを同一の編成コースで行なっている。そのため、上記編成構成によれば、各固定箇所で順次編糸の固定を行なう従来構成よりも、効率的にベース編目列１０へのインレイ線材Ｙ９の固定を行なうことができる。
【００３１】
Ｓ７以降、ＦＤに係止される前側編地部にインレイ線材Ｙ９を配置する場合、ＦＤを本発明における一方の針床と見做し、ＦＤとＢＵを用いてＳ１〜Ｓ７と同様の編成を行なえば良い。また、ベース編目列１１にインレイ線材Ｙ９を配置・固定する場合、ベース編目列１１をＳ１のベース編目列１０と見做し、Ｓ２〜Ｓ６を行なえば良い。
【００３２】
次に、上記編成工程を行なうことでベース編目列１０に対してインレイ線材Ｙ９が強固に固定されるメカニズムを、図２のループ図に基づいて説明する。図２のループ図は、図１のＳ７のＢＤに係止される後側編地部を筒の外側から見たループ図であって、図２（Ａ）から（Ｄ）にかけて後側編地部における編目の経時的な変化が示されている。
【００３３】
図２（Ａ）に示すような状態からインレイ線材Ｙ９を左右に引っ張ると、図２（Ｂ），（Ｃ）に示すように留め編目３，４が一つになるように変形する。留め編目３，４は重ねられた重ね目７となっており、その重ね目７に続く固定編目８によって固定されているため、留め編目３，４は一つになることができずに、インレイ線材Ｙ９が固定編目８の根元（シンカーループの位置）に巻き付く。また、留め編目３，４の変形に伴い、特定編目１が固定編目８に近づく方向に変形し、インレイ線材Ｙ９がベース編目列１０に固定される。
【００３４】
また、図２（Ｄ）に示すように、増し目５がベース編目列１０の孔を埋める位置に配置されており、その増し目５によって編地に孔が空くことが抑制されている。
【００３５】
上述した編糸の固定方法を利用すれば、例えば図３（Ａ）に示すようなインレイ柄を有するセーターなどの編地を編成することができる。図３（Ａ）の柄を形成する白い部分は、インレイ線材が編地の表側に露出した露出部（図１のＳ６におけるＢＤの編針Ｅ〜Ｉを横切る部分など）である。各露出部の両端部を、上述した編糸の固定方法で確りと固定すれば、一つの露出部が切れてしまっても、他の露出部にはその影響が及ばず、インレイ線材がベース編目列から引き出されることがない。そのため、インレイ線材を用いて多様な柄を形成した筒状編地を提供することができる。
【００３６】
インレイ線材の露出部を個別に固定する構成であれば、露出部を敢えて切断することもできる。その結果、図３（Ｂ）に示されるように、インレイ線材（白色部分を参照）が起毛状になった編地を得ることができる。露出部の両端部がベース編目列に確りと固定されているため、露出部を切断してもインレイ線材がベース編目列から外れないからこそ、このような編地を作製することができる。
【００３７】
また、熱収縮糸でベース編目列を編成すると共にインレイ線材を非熱収縮糸とし、出来上がった編地を熱処理すれば、ベース編目列が収縮したときに、収縮しなかったインレイ線材がパイル状に突出する。その結果、図４（Ａ）に示されるように、露出部（湾曲した黒色部分を参照）がパイル状になった編地を作製することができる。
【００３８】
また、非熱収縮糸でベース編目列を編成すると共にインレイ線材を熱収縮糸とし、出来上がった編地を熱処理すれば、インレイ線材が収縮したときに、ベース編目列がインレイ線材に引っ張られる。その結果、図４（Ｂ）に示されるように、皺状の凹凸が形成された立体的な編地を作製することができる。
【００３９】
＜変形例＞
実施形態１のようにベース編目列１０の前後の編目の間に編糸Ｙ９を挿通するのではなく、ベース編目列１０の一面側、または他面側に編糸Ｙ９を沿わせ、その編糸Ｙ９をベース編目列１０における複数の固定箇所に固定しても良い。例えば、図１のＳ２で編針Ｆ，Ｇ，Ｈ，Ｌの編目の目移しを行わずに、Ｓ３〜Ｓ５と同様の編成を行って編糸Ｙ９を固定すれば、当該編糸Ｙ９全体が筒状編地の内側に配置される。編糸Ｙ９を伸び難い編糸とすれば、編糸Ｙ９によって編幅方向の伸びが抑制された筒状編地となる。
【００４０】
＜実施形態２＞
実施形態１の編糸の固定方法は、糸入れ・糸出し時の編糸の解れ止めにも利用することができる。例えば横縞柄のセーターを編成する場合、第一の編糸で編成された編地部のウエール方向に続けて、第一の編糸とは異なる色の第二の編糸で別の編地部を編成する。その際、第一の編糸の糸出しと、第二の編糸の糸入れと、を行なう。それらの編糸の余端部の固定に、実施形態１の編糸の固定方法を用いれば、強固に余端部を固定することができる。その他、実施形態１の編糸の固定方法は、インターシャ柄の編糸の固定にも利用することができる。
【符号の説明】
【００４１】
ＦＤ  下部前針床  ＦＵ  上部前針床
ＢＤ  下部後針床  ＢＵ  上部後針床
１０，１１  ベース編目列
１，２  特定編目  ３，４  留め編目  ５  増し目
７  重ね目  ８，９  固定編目
８０  第一給糸口  ９０  第二給糸口
Ｙ８  ベース編糸  Ｙ９  インレイ線材（編糸）
【図１】
0006257565.tif 000002
【図２】
0006257565.tif 000003
【図３】
0006257565.tif 000004
【図４】
0006257565.tif 000005